(57)【要約】【課題】  軽量・コンパクトで、持ち運びが便利で、且つ、安定性・耐久性・操作性が良く、首の疲れ改善に効果が多大な空圧上下伸縮式首ストレッチャーを開発・提供する事にある。【解決手段】  主に上下伸縮式本体プレートと、上下伸縮作動させるシリンダーとガスケット付ピストンを組み合わせて成る上下伸縮手段と、各シリンダー後室部にエアーを送り込む複数のＴ字状継手と、複数のチューブと、エアー調整バルブ付ハンドポンプを組み合わせて成るエアー圧送手段と、上下本体プレート保護する為の上下スポンジカバーと、伸縮自在布製袋状カバーから成り、且つ、使用時は首ストレッチャーを人体の首部に固定バンド側を前向きにして固定バンドで固着し、ハンドポンプを圧縮しながらそれぞれのシリンダー後室部にエアーを圧送して上向作動させ、取り外し時はエアー調整バルブを開いてエアーを排気させ、首ストレッチャーを手動により短縮させて首から取り外すもの。【選択図】  図１０
0003137721.tif 000002
【実用新案登録請求の範囲】
【請求項１】
人体の首に着脱自在に装着可能で、頭部から首への負荷荷重を軽減する為に使用する空圧上下伸縮式の首ストレッチャーにおいて、該首ストレッチャーは主に上下一対に組合せて成る上下伸縮式本体プレート（１）（２）と、本体プレートの上下伸縮作動をさせる為のシリンダー（３）とガスケット（Ｇ）付ピストン（４）を組み合わせて成る上下伸縮手段と、それぞれのシリンダー後室部にエアー（ＡＲ）を送り込む為に、複数のＴ字状継手（ＴＪ）と、複数のチューブ（ＴＵ１）と、エアー調整バルブ（ＡＶ）付ハンドポンプ（ＨＰ）を組み合わせて成るエアー圧送手段と、上下本体プレートをそれぞれ別々に覆って保護する為の上下スポンジカバー（ＳＣ１）（ＳＣ２）と、本体全体を一対にして覆う為の伸縮自在布製袋状カバー（Ｃ）から成り、且つ、使用時は首ストレッチャーを人体（ＨＢ）の首部に固定バンド（９）側を前向きにして固定バンド（９）で固着し、ハンドポンプ（ＨＰ）を圧縮しながらそれぞれのシリンダー後室部にエアー（ＡＲ）を圧送して上向作動させ、取り外し時は、エアー調整バルブ（ＡＶ）を開いてエアーを排気させ、首ストレッチャーを手動により短縮させて首から取り外す事を特徴とする空圧上下伸縮式首ストレッチャー。
【考案の詳細な説明】
【技術分野】
【０００１】
この考案は、空圧上下伸縮式首ストレッチャーに関するものである。
【背景技術】
【０００２】
従来、一般に使用されている専用の器具は、前面開閉のほぼ筒状固定式で首の周りに宛がって使用するものが大半である。
【０００３】
又、既に特許出願(特願２０００−０２４０２２)されているものでは、三段に重合した樹脂製袋状の空圧式ネックストレッチャーがあるが、コンパクト、且つ、軽量な為、持ち運びは便利であるが、樹脂製である為、耐久性及び安定性にやや問題がある。
【特許文献１】特願２０００−０２４０２２
【考案の開示】
【考案が解決しようとする課題】
【０００４】
そこで、上記課題を解決する為に、この考案は軽量・コンパクトで、持ち運びが便利で、且つ、安定性・耐久性・操作性が良く、首の疲れ改善に効果が多大な空圧上下伸縮式首ストレッチャーを開発・提供する事にある。
【課題を解決するための手段】
【０００５】
この課題を解決する為の手段として、主に上下一対に組合せて成る上下伸縮式本体プレートと、本体プレートの上下伸縮作動をさせる為のシリンダーとガスケット付ピストンを組み合わせて成る上下伸縮手段と、それぞれのシリンダー後室部にエアーを送り込む為に、複数のＴ字状継手と、複数のチューブと、エアー調整バルブ付ハンドポンプを組み合わせて成るエアー圧送手段と、上下本体プレートをそれぞれ別々に覆って保護する為の上下スポンジカバーと、本体全体を一対にして覆う為の伸縮自在布製袋状カバーから成り、且つ、使用時は首ストレッチャーを人体の首部に固定バンド側を前向きにして固定バンドで固着し、ハンドポンプを圧縮しながらそれぞれのシリンダー後室部にエアーを圧送して上向作動させ、取り外し時はエアー調整バルブを開いてエアーを排気させ、首ストレッチャーを手動により短縮させて首から取り外すものである。
【考案の効果】
【０００６】
この考案の効果として、主に上下一対に組合せて成る上下伸縮式本体プレートと、本体プレートの上下伸縮作動をさせる為のシリンダーとガスケット付ピストンを組み合わせて成る上下伸縮手段と、それぞれのシリンダー後室部にエアーを送り込む為に、複数のＴ字状継手と、複数のチューブと、エアー調整バルブ付ハンドポンプを組み合わせて成るエアー圧送手段と、上下本体プレートをそれぞれ別々に覆って保護する為の上下スポンジカバーと、本体全体を一対にして覆う為の伸縮自在布製袋状カバーから成り、且つ、使用時は首ストレッチャーを人体の首部に固定バンド側を前向きにして固定バンドで固着し、ハンドポンプを圧縮しながらそれぞれのシリンダー後室部にエアーを圧送して上向作動させ、取り外し時はエアー調整バルブを開いてエアーを排気させ、首ストレッチャーを手動により短縮させて首から取り外す事で、軽量・コンパクトで、持ち運びが便利で、且つ、安定性・耐久性・操作性が良く、首の疲れ改善に効果が多大である等、極めて有益なる効果を奏するものである。
【考案を実施するための最良の形態】
【０００７】
この考案の最良の形態として、首ストレッチャーの大きさ、特に全長(首回りの長さ)及び高さ(縮時の高さ)は、使用者によってバラツキがある為、例えばＬ型・Ｍ型・Ｓ型等、大きさをサイズ別にランク分けして、誰が使用しても、効果が最大に発揮出来る様にする事が重要である。
【実施例１】
【０００８】
そこで、この考案の一実施例を図１〜図１１に基づいて詳述すると、人体の首に着脱自在に装着可能で、頭部から首への負荷荷重を軽減する為に使用する空圧上下伸縮式の首ストレッチャーにおいて、該首ストレッチャーは主に上下一対に組合せて成る上下伸縮式本体プレート（１）（２）と、本体プレートの上下伸縮作動をさせる為のシリンダー（３）とガスケット（Ｇ）付ピストン（４）を組み合わせて成る上下伸縮手段と、それぞれのシリンダー後室部にエアー（ＡＲ）を送り込む為に、複数のＴ字状継手（ＴＪ）と、複数のチューブ（ＴＵ１）と、エアー調整バルブ（ＡＶ）付ハンドポンプ（ＨＰ）を組み合わせて成るエアー圧送手段と、上下本体プレートをそれぞれ別々に覆って保護する為の上下スポンジカバー（ＳＣ１）（ＳＣ２），（ＳＣ１'）（ＳＣ２'）と、本体全体を一対にして覆う為の伸縮自在布製袋状カバー（Ｃ）から成り、且つ、使用時は、首ストレッチャーを人体の首部に固定バンド（９）側を前向きにして固定バンド（９）で固着し、ハンドポンプ（ＨＰ）を圧縮しながらそれぞれのシリンダー後室部にエアー（ＡＲ）を圧送して上向作動させ、取り外し時は、エアー調整バルブ（ＡＶ）を開いてエアーを排気させ、首ストレッチャーを手動により短縮させて首から取り外す事を特徴とする空圧上下伸縮式首ストレッチャーから構成される。
【０００９】
次に、この考案の詳細について説明すると、まず、図１に示す様に、上部本体プレート(１)の材質はＰＥが使用され、寸法形状は幅が２５ｍｍで、全長が４５０ｍｍで、板厚が１．５ｍｍで、上端部は首の上接触部の形状に適合する様、波形Ｒ形状（１ｃ）に形成され、下端部及び左右両端には、複数のピストン及びガイドピン取り付け用穴（１ａ）（１ｂ）がそれぞれ設けられている。又、下部本体プレート(２)の材質はＰＥが使用され、図２に示す様に、寸法形状は幅が６１ｍｍで、全長が４５０ｍｍで、板厚が１．５ｍｍで、上端部には複数のシリンダー取り付け用の切り欠き（２ｄ）及び取り付け用穴（２ａ）を設け、且つ、左右両端部にはガイド取り付け用の長穴（２ｃ）（２ｃ）（２ｃ'）（２ｃ'）及び取り付け用穴（２ｂ）（２ｂ）（２ｂ），（２ｂ'）（２ｂ'）（２ｂ'）をそれぞれ設け、更に、下端部は首の下接触部の形状に適合する様、波形Ｒ形状（２ｅ）に形成して設けている。
【００１０】
そして、上記シリンダー（３）の材質はＰＥ又はＰＰが使用され、シリンダー本体部（３ａ）の寸法形状は内径Φ１５ｍｍ×高さ約３４．２ｍｍの円筒形状で、左右両端に板厚１．２ｍｍ×幅８．５ｍｍ×高さ３４．２ｍｍの取り付け板部（３ｂ）（３ｂ）がそれぞれ設けられ、且つ、該取り付け板の四隅には取り付け用Ｕ字状長穴（３ｃ）がそれぞれ設けられ、更にシリンダー（３）の底中央部にはＴＰネジ付の給気用Ｔ字状継手（ＴＪ）取り付け口（３ｄ）が設けられている。又、シリンダーの内径部に挿着するピストン（４）は、取り付け板（４ａ）の上端部にΦ３．２ｍｍの係止用穴（４ｂ）と下端部にはガスケット（Ｇ）取り付け部（４ｃ）を設けている。又、本シリンダー（３）の下部本体プレートへの取り付けは、図１０に示す様に４本の樹脂製ボルト（Ｂ）・ナット（Ｎ）・ワッシャー（Ｗ）等の係止部材でそれぞれ係止され、又、ピストンと上部本体プレートの取り付けもそれぞれ１本の樹脂製ボルト（Ｂ）・ナット（Ｎ）・ワッシャー（Ｗ）等の係止部材で係止されている。
【００１１】
次に、下部本体プレート(２)の左右両端に取り付けるガイド（５）は、図５に示す様に、ガイドピン（６）を挿着する円筒状の筒部（５ａ）と取り付け板部（５ｂ）で構成され、且つ、該取り付け板部には複数の係止用凸部（５ｄ）とΦ３．２ｍｍの取り付け用穴（５ｃ）をそれぞれ設け、且つ、筒部と取り付け板部間に設けた矩形状の切り欠き穴部（５ｅ）には、両面ファスナー付の固定バンド（９）が挿着出来る様に成っている。又、本ガイド筒部の係止穴部（５ａ'）に軸着するガイドピン（６）は、軸部（６ａ）と取り付け板部（６ｂ）から構成され、且つ、該取り付け板部（６ｂ）には二か所の係止用穴（６ｃ）がそれぞれ設けられている。
【００１２】
次に、ブッシング（７）は、図７（Ａ）（Ｂ）に示す様に、チューブ（ＴＵ１）を通す導通穴（７ａ）とＵ字状の切り欠き穴（７ｂ）が設けられており、ガイドの下端部に挿着して、エアー圧送用ゴムホース（ＴＵ２）を通して固定及び保護するものである。又、図８（Ａ）（Ｂ）に示すストッパー（８）は、
シリンダーの上端部に設けて、ピストンのガイド及びピストンの抜け出し防止用に使用するものである。このピストンのガイド及び抜け出し防止用ストッパーは、板厚０．３ｍｍの鋼製の薄板を打ち抜き折り曲げ形成されたもので、ピストンのガイド板部（８ａ）と取り付け板部（８ｂ）で構成され、取り付けは取り付け穴部（８ｃ）（８ｃ）（８ｃ）（８ｃ）にボルト（Ｂ）・ナット（Ｎ）・ワッシャー（Ｗ）等の係止部材をそれぞれ係止通し、シリンダーと共に係止する。
【００１３】
そして、図９（Ａ）（Ｂ）の面ファスナー付バンド（９）は、上記（００１１）で説明した様に、下部本体プレート(２)の左右両端に取り付けるガイド（５）の矩形状切り欠き穴部（５ｅ）に挿着して一端に設けた取り付け穴部（９ｂ）に樹脂製のボルト（Ｂ）・ナット（Ｎ）・ワッシャー（Ｗ）等の係止部材（４か所）でそれぞれ固着し、他端は図１１に示す様に、バンドの両面に貼着した両面ファスナー（９ａ）等の係止部材で装着して使用するものである。
【００１４】
又、上下本体プレートの表裏両面部には、それぞれの本体プレートに合わせた形状の上下スポンジカバー（ＳＣ１）（ＳＣ２）をそれぞれ貼着し、且つ、上部本体プレートの上端部及び下部本体プレートの下端部にＣ字状の発泡スチロール製の保護カバー（ＳＣ１'）（ＳＣ２'）をそれぞれ貼着して、首ストレッチャーを首に装着しても違和感が生じない様に考慮されている。そして、上下本体プレート全体を伸縮自在布製袋状カバー（Ｃ）で覆う事で、安全性及び品質向上を図っている。
【００１５】
次に、本考案の作動原理について説明すると、図１０（Ａ）（Ｂ）（Ｃ）に示す様に、ハンド式エアーポンプを手動により圧縮すると、エアー（ＡＲ）がゴム製のチューブ（ＴＵ２）を経由してビニール製チューブ（ＴＵ１）を通過し、下部本体プレート(２)のほぼ中程に六ケ所設けた各シリンダー内に圧送され、それぞれのシリンダーに組み込まれたピストンが同時に上方向に押し上げられる。すると同時に、各ピストンの先端部の取り付け穴に固着された上部本体プレート(１)が上昇する。尚、ハンドポンプ側と逆方向のビニール製チューブ（ＴＵ１）先端部には、エアー（ＡＲ）を遮断する為の埋栓用プラグ（Ｐ）が挿着されている。
【００１６】
続いて、本考案の取り扱い方法について説明すると、図１２に示す様に、人体（ＨＢ）の首部にバンド側を前側にして首ストレッチャーを固着し、バンドでしっかり固定する。そして、ハンドポンプ付け根部のエアー調整バルブ（ＡＶ）を閉状態にして、ハンドポンプ（ＨＰ）を圧縮しながらエアー（ＡＲ）を送り込み首ストレッチャーを少しずつ伸長しながら、首の状態に合わせて最適な位置で止める。この時、急激に伸長すると首の調子を害する可能性が有るので充分注意しながら行う事が重要である。
【産業上の利用可能性】
【００１７】
この考案の空圧上下伸縮式首ストレッチャーは、軽量・コンパクトで、持ち運びが便利で、且つ、安定性・耐久性・操作性が良く、首の疲れ改善に効果が多大である為、多くの医療関係及び健康管理市場に寄与する点で産業上の利用可能性を有する。
【図面の簡単な説明】
【００１８】
【図１】この考案の一実施例を示し、（Ａ）は上部本体プレートの正面図で、（Ｂ）は平面図で          ある。
【図２】この考案の一実施例を示し、（Ａ）は下部本体プレートの正面図で、（Ｂ）は平面図で          ある。
【図３】この考案の一実施例を示し、（Ａ）はシリンダーの正面図で、（Ｂ）は下面図である。
【図４】この考案の一実施例を示し、（Ａ）はピストンの平面図で、（Ｂ）は正面図で、（Ｃ）は右側面である。
【図５】この考案の一実施例を示し、（Ａ）はガイドの正面図で、（Ｂ）は下面図である。
【図６】この考案の一実施例を示し、（Ａ）はガイドピンの平面図で、（Ｂ）は正面図である。
【図７】この考案の一実施例を示し、（Ａ）はブッシングの正面図で、（Ｂ）は下面図である。
【図８】この考案の一実施例を示し、（Ａ）はストッパーの平面図で、（Ｂ）は正面図である。
【図９】この考案の一実施例を示し、（Ａ）は面ファスナー付バンドの平面図で、（Ｂ）は正面図である。
【図１０】この考案の組立図の一実施例を示し、（Ａ）は空圧上下伸縮式首ストレッチャー全体のａ−ａ矢視断面図で、（Ｂ）は正面図で、（Ｃ）はｂ−ｂ矢視断面図である。
【図１１】この考案の一実施例を示し、空圧上下伸縮式首ストレッチャーの斜視図である。
【図１２】この考案の使用例を示し、空圧上下伸縮式首ストレッチャー全体の斜視図である。
【符号の説明】
【００１９】
１  上部本体プレート
１ａ  ピストン取り付け用穴
１ｂ  ガイドピン取り付け用穴
１ｃ  波形Ｒ形状
２  下部本体プレート
２ａ  シリンダー取り付け用穴
２ｂ  ガイド取り付け用穴
２ｂ'  ガイド取り付け用穴
２ｃ  ガイド取り付け用の長穴
２ｃ'  ガイド取り付け用の長穴
２ｄ  シリンダー取り付け用切り欠き
２ｅ  波形Ｒ形状
３  シリンダー
３ａ  シリンダー本体部
３ｂ  取り付け板部
３ｃ  Ｕ字状長穴
３ｄ  継手取り付け口
４  ピストン
４ａ  取り付け板
４ｂ  係止用穴
４ｃ  ガスケット取り付け部
５  ガイド
５ａ  筒部
５ａ'  係止穴部
５ｂ  取り付け板部
５ｃ  取り付け用穴
５ｄ  係止用凸部
６  ガイドピン
６ａ  軸部
６ｂ  取り付け板部
６ｃ  係止用穴
７  ブッシング
７ａ  導通穴
７ｂ  Ｕ字状切り欠き穴
８  抜け出し防止用ストッパー
８ａ  ガイド板部
８ｂ  取り付け板部
８ｃ  取り付け穴部
９  面ファスナー付固定バンド
９ａ  面ファスナー
９ｂ  取り付け穴部
ＡＶ  エアー調整バルブ
Ｂ  ボルト
Ｃ  伸縮自在布製袋状カバー
Ｇ  ガスケット
ＨＢ  人体
ＨＰ  ハンドポンプ
ＳＣ１  上スポンジカバー
ＳＣ１'  上保護カバー
ＳＣ２  下スポンジカバー
ＳＣ２'  下保護カバー
ＴＵ１  ビニール製チューブ
ＴＵ２  ゴム製チューブ
ＴＪ  Ｔ字状継手
Ｎ  ナット
Ｐ  埋栓用プラグ
Ｗ  ワッシャー
【図１】
0003137721.tif 000003
【図２】
0003137721.tif 000004
【図３】
0003137721.tif 000005
【図４】
0003137721.tif 000006
【図５】
0003137721.tif 000007
【図６】
0003137721.tif 000008
【図７】
0003137721.tif 000009
【図８】
0003137721.tif 000010
【図９】
0003137721.tif 000011
【図１０】
0003137721.tif 000012
【図１１】
0003137721.tif 000013
【図１２】
0003137721.tif 000014